(57)【要約】【課題】従来の植物の育成装置は、観葉植物の根が常に水に浸かった状態であり、水の腐敗率が高く酸性化しやすいという問題を有していた。【解決手段】パイプ３０の上端部に一定の空気層を介して植物の鉢を設置し、このパイプ３０の下端部は水の容器に隙間を空けて設置され、そのパイプ３０内の下端部付近には気泡を生じさせるエアーストーンと青色系ＬＥＤ照明とを備えるように構成した。これにより水と空気を適正に管理することができるとともにインテリア効果と殺菌作用と植物の育成効果を有した植物の育成を行うことができる。【選択図】図１
2012050418.tif 000002
【特許請求の範囲】
【請求項１】
パイプ３０の上端部に一定の空気層を介して植物の鉢を設け、パイプ３０の下端部は水の容器に隙間を空けて設置され、このパイプ３０内の下端部付近には気泡を生じさせるエアーストーンと青色系ＬＥＤ照明とを備えることを特徴とする植物の育成装置。
【発明の詳細な説明】
【技術分野】
【０００１】  本発明は、植物の育成装置、特に、植物の根が常に水に浸ることなく、空気層Ｃを設け、植物を育成するに於いて、最適な条件を作り出し、また透明パイプを使用することにおいて、インテリア性に優れた植物の育成装置に関する。
【背景技術】
【０００２】  従来の植物を育成する装置としては、植物を水耕栽培する装置が知られている。このような装置では、植物の根が常に水に浸っているため腐敗率が高くなり、水が酸性化しやすいという問題を有している。さらに、植物には水の中の酸素のみしか供給されないため、植物を育成する条件としては適切な環境を維持しえていないという問題もあった（例えば、特許文献１参照）。
【先行技術文献】
【特許文献】
【０００３】
【特許文献１】特開２００６−２７１３５５号  公報
【発明の概要】
【発明が解決しようとする課題】
【０００４】  以上のように従来の植物の育成装置は、常に水が満杯の状態を維持している構造のため、水と空気を適正に制御できないため、数多くの問題点を有していた。【０００５】  本発明は、このような従来の装置がもっていた問題を解決したものであり、水と空気を制御することができるとともに、その設置場所も屋内はもとより池、川、公園などの屋外の水の層に設置することが可能であるとともに、インテリア効果をも併せもつ植物の育成装置を提供することを目的とする。
【課題を解決するための手段】
【０００６】  そして、本発明は上記目的を達成するために主に樹脂性（陶器・ガラス・金属・セメント・その他の材質を含む）パイプ３０の上端部に植物の鉢を有し、このパイプ３０の下端部は水の容器に隙間を空けて設置され、そのパイプ内の下端部付近には気泡を生じさせるエアーストーンと青色系ＬＥＤ照明とを備えるようにした。
【発明の効果】
【０００７】  したがって、本発明による植物の育成装置は、水と空気を適正に管理することができ、かつ青色系ＬＥＤ照明によって植物の根の育成を促進すると共に、水に青色照明による幻想的なインテリア効果を醸し出し、さらに水の殺菌作用をも同時行いながら植物の育成を行うことができるという優れた効果を有するものである。
【図面の簡単な説明】
【０００８】
【図１】  本発明の一実施形態を示す植物の育成装置の概略構成図
【図２】  同育成装置の要部の拡大図
【発明を実施するための形態】
【０００９】  図１、図２に示すように、本発明による植物の育成装置は、パイプ３０を主体とし、上部には市販の水耕用観葉植物苗鉢１０が設けられている。この植物の鉢１０は接続アダプター２０よってパイプ３０に組み込みこまれている。そして、パイプ３０内の鉢１０の下部には気泡発生部エアーストーン６０と防水加工済みＬＥＤライト５０が設置された水中ろ過層仕切りろ過ケース４０が配置されている。
【００１０】  そして、エアーストーン６０と防水加工済みＬＥＤライト５０が設置された水中ろ過ケース４０を水が満たされた容器７０に入れる事により、パイプ３０内の観葉植物鉢１０の底面１ａ〜パイプ３０内水面Ｄ間の空気層Ｃとパイプ３０内水面Ｃ〜水中ろ過層仕切り盤またはケース４０間の水中層Ｇと水中ろ過層仕切り盤またはろ過ケース４０〜パイプ３０底部間Ｈ間の水中ろ過層１と市販の水耕用観葉植物苗鉢１０内のハイドロカルチャー層Ｂの計４層に区分される。後述するように、それぞれＣ・Ｇ・Ｉ・Ｂの層において機能と効果が引き出され、観葉植物Ａと育成装置を可能とするとともに、場合によっては観賞魚Ｋも育成可能としている。
【００１１】  エアーポンプ（エアーコンプレッサー）６ｃからの外気はエアーチューブ６ａを通り、エアーストーン（気泡発生部）６０にて気泡Ｊとなり、パイプ３０内の曝気によりパイプ３０の内外に気圧差が生じ、パイプ３０下部底面Ｈより水の容器内水層Ｆから吸水・排水される循環作用が起きる。なお、キスゴム装着用突起３ａはキスゴム３ｂを装着し、本装置の設置条件によってはこれらによって装着することが可能になっている。
【００１２】  そして、エアーストーン６０から発生した気泡Ｊはパイプ３０内の水中層Ｇではエアーレション効果により、溶存酸素率を高めるとともに循環作用より水の容器内水槽Ｆの溶存酸素率を高めるので、水質の向上と維持を果たすことができる。この場合、観賞魚Ｋも同時に育成する場合には、水質の良い条件で飼育が可能となる。またパイプ３０内の空気層Ｃにおいては気泡Ｊがパイプ３０内の水位面で曝気され、パイプ３０内の空気層Ｃは、高い湿度と溶存酸素率を持った湿気となり市販の水耕用観葉植物苗鉢底面１ａから通気性多孔質のハイドロカルチャー層Ｂを通り、このハイドロカルチャー層の空気抵抗により、湿度を一定化させ、植物Ａ育成に必要な好環境を生み出すことができる。
【００１３】  すなわち、ハイドロカルチャー層Ｂ（４層目）は、観葉植物苗鉢（ハイドロカルチャー層）１０の底面１ａから溶存酸素率の高い湿気が観葉植物Ａを育てるハイドロカルチャー層Ｂを通過することにより、通気性を高め植物の根に適切な酸素と水分を補給する。また、この多孔質のハイドロカルチャー層Ｂに空気・水を浄化するバクテリアを繁殖３させると、本装置を設置した周辺の環境を改善することができる。適度な空気抵抗をもつ通気性多孔質セラミックのハイドロカルチャー層Ｂをゆっくりとした速度で通過する溶存酸素率の高い湿気は、ハイドロカルチャー層Ｂに水と酸素を供給しながら、その表面層付近で蒸発散気を生じさせる。
【００１４】  次に、空気層Ｃ（３層目）は、水面付近の気泡Ｊの曝気、気散によって気圧差が生まれ、溶存酸素率の高い水と空気の高湿潤状態の湿気を生じさせる。パイプ３０の下部底面Ｈから加圧された気泡Ｊは、パイプ３０内の水位面にて気圧が低くなり水位が上がる。そして気泡Ｊの気圧・比重の変化によって気泡破裂がおこり、溶存酸素率の高い高湿潤状態の水分と空気を作る。
【００１５】  さらに、水層Ｇ（２層目）は、エアーストーン（気泡発生部）６０のエアーレション効果によって水の溶存酸素率を高める。さらに青色系の防水加工されたＬＥＤライト５０を設置しているので、水中内の気泡Ｊや水の動きを青色系ＬＥＤライト５０の光を照射することによってインテリア効果を高めることができる。青色系ＬＥＤライト５０は、水中照射するので気泡Ｊに入った光は気泡Ｊ内部で屈折反射するため気泡Ｊが疑似発光体となって乱反射を起こし幻想的な照明を演出し、装置全体のインテリア性を高める。
【００１６】  この青色系ＬＥＤライト５０のピーク波長を４００〜５００ｎｍとすることによって観葉植物Ａの根をストレス効果によって発育を促すことができる。かつ、青色系ＬＥＤ光源色は、観葉植物Ａの根、水中、空気の雑菌等を抑制する殺菌作用も有する。
したがって、水質をきれいに保持するため観賞魚Ｋを育成する場合でも、その育成に最適な環境を作り出すことができる。
【００１７】  そして、水中ろ過層Ｉ（１層目）は、水槽Ｇ（２層目）でのエアーレション効果によってパイプ３０内を加圧させ、各層（２層め、３層目、４層目）に気圧差を生じさせる。そして、パイプ３０内外の水圧差によってパイプ３０内部の水と水の容器７０の間で給排水される循環作用が起きる。これによって観賞魚を同時に育成する場合であっても、容器７０内の観賞魚Ｋもパイプ３０内の観賞魚Ｋと同じような環境で飼育することができる。更に容器７０内の観賞魚のエサの食べ残し、腐敗、排出物等の水質を悪化させるアンモニア等は植物の貴重な栄養源として根から吸収するため水質改善の大きな要因となる。
【００１８】  ここで、水の容器７０は屋内（家庭や店等）で使用されるような大きさの容器でもよく、また屋外での使用にあたっては、プール、池、川等が容器７０の代わりに用いられる。
【００１９】  このように本発明による植物の育成装置は、パイプの上端部に植物の鉢を有し、このパイプの下端部は水の容器に隙間を空けて設置され、そのパイプ内の下端部付近には気泡を生じさせるエアーストーンと青色系ＬＥＤ光源とを備えるように構成した。
これにより、水と空気を適正に管理することができるとともに、気泡が青色発光し、特に、気泡が見える透明のパイプを使用した際は、一層のインテリア効果を奏すると共に、殺菌作用と植物の育成効果を併せもつ装置が達成できた。
【符号の説明】
【００２０】１０  観葉植物鉢
３０  主に成型樹脂（陶器・ガラス・金属・セメント。その他材質を含む）パイプ
５０  青色系ＬＥＤランプ
６０  エアーストーン
７０  水の容器
Ａ  観葉植物
Ｂ  ハイドロカルチャー層
Ｃ  空気層
Ｇ  水層
Ｉ  水中ろ過層
Ｊ  気泡
Ｋ  観賞魚
【図１】
2012050418.tif 000003
【図２】
2012050418.tif 000004
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
パイプの上端部に一定の空気層を介して植物の鉢を設け、このパイプの下端部を水の容器に隙間を空けて設置し、前記パイプ内の下端部付近には気泡を発生させるためのエアーストーンを設けたことを特徴とする植物の育成装置。
【請求項２】
パイプの上端部に一定の空気層を介して植物の鉢を設け、このパイプの下端部を水の容器に隙間を空けて設置し、前記パイプ内の下端部付近には気泡を発生させるためのエアーストーンと青色系ＬＥＤ照明を設けたことを特徴とする植物の育成装置。
【手続補正２】
【補正対象書類名】明細書
【補正対象項目名】０００２
【補正方法】変更
【補正の内容】
【０００２】  従来の植物を育成する装置としては、植物を水耕栽培する装置が知られている。このような装置では、植物の根が常に水に浸っているため腐敗率が高くなり、水が酸性化しやすいという問題を有している。植物には乾湿のリズムがないと、酸素を呼吸できず窒息してしまい、特に根においては水のやりすぎ、根回りの通気不良、根詰まりあるいは乾燥や高温などで根が十分な呼吸ができなくなると、根腐れを起こすという問題があり、植物を育成する条件としては適切な環境を維持しえていないという問題もあった（例えば、特許文献１参照）。
【手続補正３】
【補正対象書類名】明細書
【補正対象項目名】０００７
【補正方法】変更
【補正の内容】
【０００７】    したがって、本発明による植物の育成装置は、水と空気を適正に管理することができ、かつ青色系ＬＥＤ照明によって植物の根の育成を促進すると共に、水に青色照明よる幻想的なインテリア効果を醸し出し、さらに水の殺菌作用・植物周辺・植物設置周辺の環境改善をも同時行いながら植物の育成を行うことができるという優れた効果を有するものである。
【手続補正４】
【補正対象書類名】明細書
【補正対象項目名】００１２
【補正方法】変更
【補正の内容】
【００１２】  そして、エアーストーン６０から発生した気泡Ｊはパイプ３０内の水中層Ｇでのエアーレション効果により、パイプ３０内の空気層Ｃは、密封空間であり、外気より気圧が高く、気泡Ｊは、高い湿度と溶存酸素率を持った湿気となり、気圧差により市販の水耕用観葉植物鉢底面１ａから通気性多孔質のハイドロカルチャー層Ｂを通り、ハイドロカルチャー層Ｂの抵抗により、減圧されながら上へ湿潤空気が移動し、湿度を一定化させ植物Ａ育成に必要な酸素および水の吸収ができやすい好環境を生み出すことができる。また水中層Ｂの溶存酸素率を高めるとともに、循環作用より水の容器内水槽Ｆの溶存酸素率を高めるので、水質の向上と維持を果たすことができる。この場合、観賞魚Ｋも同時に育成する場合には、水質の良い条件で飼育が可能となる。
【手続補正５】
【補正対象書類名】明細書
【補正対象項目名】００１３
【補正方法】変更
【補正の内容】
【００１３】  すなわち、ハイドロカルチャー層Ｂ（４層目）は、観葉植物苗鉢（ハイドロカルチャー層）１０の底面１ａから溶存酸素率の高い湿気を含んだ空気が観葉植物Ａを育てるハイドロカルチャー層Ｂを通過することにより、通気性を高め植物の根に適切な酸素と水分を補給する。また、この多孔質のハイドロカルチャー層Ｂに空気・水を浄化するバクテリアを繁殖３させると、本装置を設置した周辺の環境を改善することができる。適度な空気抵抗をもつ通気性多孔質セラミックのハイドロカルチャー層Ｂをゆっくりとした速度で通過する溶存酸素率の高い湿気を含んだ空気は、ハイドロカルチャー層Ｂに水と酸素を供給しながら、ハイドロカルチャー層Ｂの植栽帯表面から大気中に拡散されるが、差圧の為膨張拡散現象により、活発な蒸散によって、周辺環境の湿温度の調整機能を有す。
【手続補正６】
【補正対象書類名】明細書
【補正対象項目名】００１４
【補正方法】変更
【補正の内容】
【００１４】  次に、空気層Ｃ（３層目）は、水面付近の気泡Ｊの曝気、気散によって気圧差が生まれ、溶存酸素率の高い水と空気の高湿潤状態の湿気を生じさせる。パイプ３０の下部底面Ｈから加圧された気泡Ｊは、気泡の加圧浮上によって、水の上昇流が生じ、エアーリフト機構が生じ、水位面が上がる。そして気泡Ｊの気圧・比重の変化によって気泡破裂がおこり、溶存酸素率の高い、高湿潤状態の水分と高気圧空気を生じさせる。